(57)【特許請求の範囲】
【請求項１】
ラップフィルムロールを収納する上面開口型の容器本体と、
上記容器本体の上面開口に開閉可能に設けられたフタと、
基部の両側に鋸刃状の刃部を有し、上記ラップフィルムロールから引き出したラップフィルムをカットするカッターと、
上記カッターの一面側に配置される台座プレートと、
上記フタに形成された複数の取付孔と、
上記カッターの基部中央に沿って上記複数の取付孔に対応して形成された複数の貫通孔と、
上記台座プレートに上記複数の貫通孔に対応して設けられた複数の突起とを有し、
上記貫通孔に上記突起を嵌め込み圧入することで、上記カッターの一方の刃部が上記台座プレートの一側縁から突出してカット可能な状態に配置され、上記カッターの他方の刃部が上記台座プレートの内側に引っ込んでカット不可の状態に配置されて、上記台座プレートが一体化され、この一体化状態のときに上記突起の先端部側が上記貫通孔から突出してなるとともに、この突出した突起の突出端を上記取付孔に嵌め込み圧入することで、上記カッターと台座プレートの一体品が上記フタに着脱自在に取り付けられてなること
を特徴とするラップフィルム収納ケース。
【請求項２】
上記カッターのみが金属製で、これ以外の上記容器本体や上記フタ等のケース構成部品はすべてプラスチック製であること
を特徴とする請求項１に記載のラップフィルム収納ケース。
【請求項３】
上記カッターと台座プレートの一体品を上記フタに取り付けた状態のときに、その台座プレートと上記フタとの間に上記カッターが配置される構造であること
を特徴とする請求項１に記載のラップフィルム収納ケース。
【請求項４】
上記フタ側に、これを上記容器本体側へ固定するための固定バンドが設けられている
ことを特徴とする請求項１に記載のラップフィルム収納ケース。
【請求項５】
上記容器本体内に、上記ラップフィルムロールを回転可能に支持するための一対のボス部が突出形成されてなること
を特徴とする請求項１に記載のラップフィルム収納ケース。
【発明の詳細な説明】
【０００１】
【発明の属する技術分野】
本発明は、食品の保存等に用いられるラップフィルムのロール体（以下「ラップフィルムロール」という）を収納するためのラップフィルム収納ケースに関する。
【０００２】
【従来の技術】
従来、この種のラップフィルム収納ケースは紙製の容器からなり、その容器内にラップフィルムロールが収納されているとともに、この収納されたラップフィルムロールからラップフィルムを引き出し所定の長さでカットできるようにするために、当該容器のフタには金属製のカッターがかしめ固定されている。
【０００３】
しかしながら、上記のような従来のラップフィルム収納ケースによると、容器のフタにカッターをかしめ固定してなる構造であるため、カッターのカット性能（切れ味）が低下しても、カッターを容易に交換することはできず、切れ味の悪いカッターで無理やりラップフィルムを切断しなければならない等、使い勝手が悪い。
【０００４】
また、上記従来のラップフィルム収納ケースにおいて、その容器内に収納されているラップフィルムをすべて使い切ってしまった場合、この従来のラップフィルム収納ケースはその一部もリサイクルされることなく、全部ゴミとして廃棄処分されているのが実情である。これは、たとえば、従来のラップフィルム収納ケースにおいて、その紙製の容器を再生紙としてリサイクルするとした場合、当該容器のフタにかしめ固定されている金属製のカッターを取り外す作業に手間がかかり、リサイクルコストが高くなるためであると考えられる。
【０００５】
【発明が解決しようとする課題】
本発明は上記問題点を解決するためになされたもので、その目的とするところは、使い勝手とリサイクル性に優れたラップフィルム収納ケースを提供することにある。
【０００６】
【課題を解決するための手段】
上記目的を達成するために、本発明は、ラップフィルムロールを収納する上面開口型の容器本体と、上記容器本体の上面開口に開閉可能に設けられたフタと、基部の両側に鋸刃状の刃部を有し、上記ラップフィルムロールから引き出したラップフィルムをカットするカッターと、上記カッターの一面側に配置される台座プレートと、上記フタに形成された複数の取付孔と、上記カッターの基部中央に沿って上記複数の取付孔に対応して形成された複数の貫通孔と、上記台座プレートに上記貫通孔に対応して設けられた複数の突起とを有し、上記貫通孔に上記突起を嵌め込み圧入することで、上記カッターの一方の刃部が上記台座プレートの一側縁から突出してカット可能な状態に配置され、上記カッターの他方の刃部が上記台座プレートの内側に引っ込んでカット不可の状態に配置されて、上記台座プレートが一体化され、この一体化状態のときに上記突起の先端部側が上記貫通孔から突出してなるとともに、この突出した突起の突出端を上記取付孔に嵌め込み圧入することで、上記カッターと台座プレートの一体品が上記フタに着脱自在に取り付けられてなることを特徴とするものである。
【０００７】
本発明において、上記カッターのみが金属製で、これ以外の上記容器本体や上記フタ等のケース構成部品はすべてプラスチック製からなるものとすることができる。
【０００８】
また、本発明において、上記カッターと台座プレートの一体品を上記フタに取り付けた状態のときに、上記カッターの一方の刃部が上記台座プレートの一側縁から突出してカット可能な状態に配置され、上記カッターの他方の刃部が上記台座プレートの内側に引っ込んでカット不可の状態に配置されて、上記台座プレートとフタとの間に上記カッターが配置される構造を採用する。
【０００９】
ここで、上記フタ側には、これを上記容器本体側へ固定するための固定バンドを設けることができ、また、上記容器本体内には、上記ラップフィルムロールを回転可能に支持するための一対のボス部を突出形成してもよい。
【００１０】
【発明の実施の形態】
以下、本発明に係るラップフィルム収納ケースの実施形態について図１ないし図５を基に詳細に説明する。
【００１１】
図１に示したように、本実施形態のラップフィルム収納ケースは、ラップフィルムロールＦＲを収納する容器本体１とこの容器本体１のフタ２とをプラスチックで一体に成形してなる構造であって、容器本体１はその上面が開口し、フタ２は容器本体１の上面開口部１ａに開閉可能に取り付けられている。
【００１２】
フタ２側には金属製のカッター３が設けられており、このカッター３は、容器本体１内のラップフィルムロールＦＲから引き出したラップフィルムＦを所定の長さでカットする手段として用いられる。なお、本実施形態では、このカッター３の構造として、基部３ａの両側に鋸刃状の刃部３ｂ、３ｃを形成してなる両刃タイプ構造を採用している。
【００１３】
図２に示したように、上記カッター３は、その一面側に配置されている台座プレート４を介して、フタ２の正面側の縁部２ａに着脱自在に取り付けられる構造となっている。
【００１４】
ここで、フタ２側へのカッター３の取付け構造を説明すると、本実施形態の場合、カッター３には貫通孔５が複数設けられており（図３参照）、これら複数の貫通孔５、５…は、カッター３の基部３ａ中央に位置し、その基部３ａ表裏面を貫通するように形成されているとともに、カッター３の長手方向に沿って一列に配置されている。
【００１５】
また、台座プレート４には突起６が複数形成されており、これら複数の突起６、６…は、上記のようなカッター３側の複数の貫通孔５、５…とそれぞれ１つずつ対応する位置に設けられている。
【００１６】
さらに、フタ２の正面側の縁部２ａには取付孔７が複数形成されており、これら複数の取付孔７、７…は、上記のような台座プレート４側の複数の突起６、６…とそれぞれ１つずつ対応する位置に設けられている。
【００１７】
本実施形態の場合、図３にも示したように、上記のようなカッター３の貫通孔５に台座プレート４の突起６が嵌め込み圧入されることにより、カッター３と台座プレート４は一体化される。
【００１８】
このとき、カッター３の一方の刃部３ｂだけが台座プレート４の一側縁から突出してカット可能な状態に配置され、同カッター３の他方の刃部３ｃは台座プレート４の内側に引っ込んでカット不可の状態に配置される。これは一方の刃部３ｂを最初に使用するためである。
【００１９】
また、本実施形態の場合、上記のようにカッター３と台座プレート４が一体化された状態において、その台座プレート４の突起６の先端部６ａはカッター３の貫通孔５から所定量突出するように設けられている。
【００２０】
そして、上記の如くカッター３の貫通孔５から突出している突起６の突出端（先端部６ａ）を上記フタ２の取付孔７に嵌め込み圧入することにより、カッター３と台座プレート４の一体品は、フタ２の正面側の縁部２ａに着脱自在に取り付けられる構造となっている。
【００２１】
さらに、上記の如くカッター３と台座プレート４の一体品をフタ２側に取り付けた状態において、このカッター３は台座プレート４とフタ２の間に配置されるとともに、そのカッター３の一方の刃部３ｂだけが台座プレート４とフタ２の間から突出して使用可能にセットされた状態となる。
【００２２】
本実施形態の場合、フタ２は固定バンド８で容器本体１側に固定できるように構成されている。
【００２３】
すなわち、図４および図５にも示したように、フタ２の側面側には固定バンド８が一体に形成されており、この固定バンド８は、フタ２側への付け根部８ａが屈曲自在に設けられるとともに、その付け根部８ａの屈曲により容器本体１の側板部１−１に外側から当接できるように構成されている。また、この固定バンド８には、容器本体１の側板部１−１と当接する面側に、係合凸部９が設けられている一方、その容器本体１の側板部１−１には係合孔１０が設けられており、このような容器本体１側の係合孔１０に上記固定バンド８側の係合凸部９が挿入され係合することにより、フタ２は固定バンド８で容器本体１側に固定される構造となっている。
【００２４】
ラップフィルムロールＦＲは、容器本体１内において、回転可能に支持されている。この種のラップフィルムロールＦＲを回転可能に支持する構造については各種考えられるが、本実施形態では、図２に示したように、一対のボス部１１、１２によるロール支持構造を採用している。
【００２５】
すなわち、本実施形態の場合、容器本体１内において、ラップフィルムロールＦＲは、その両端面ＦＲ−１、ＦＲ−２が容器本体１の両側板１−１、１−１と対向するように配置されるが、この両側板１−１、１−１にそれぞれ１つずつボス部１１、１２が突出形成されている。
【００２６】
一方のボス部１１は、ラップフィルムロールＦＲの一端面ＦＲ−１側からそのロール中心の中空部ＦＲ−３に挿入装着され、また、他方のボス部１２は、ラップフィルムロールＦＲの他端面ＦＲ−２側からそのロール中心の中空部ＦＲ−３に挿入装着されるように構成されており、このように両ボス部１１、１２がラップフィルムロールＦＲの中空部ＦＲ−３に挿入装着されると、このラップフィルムロールＦＲは両ボス部１１、１２により回転可能に支持される。
【００２７】
両ボス部１１、１２の間隔Ｌ１は通常、ラップフィルムロールＦＲの長手方向長さＬ２より短く設定されているが、容器本体１の側板１−１を一定の力で外側へ少し押し広げると、側板１−１が弾性変形することにより、両ボス部１１、１２の間隔Ｌ１はラップフィルムロールＦＲの長手方向長さＬ２より長くなり、このとき、ラップフィルムロールＦＲの中空部ＦＲ−３に両ボス部１１、１２を挿入装着することが可能となる。
【００２８】
ここで、本実施形態のラップフィルム収納ケースの構成材料をまとめて説明すると、カッター３のみが金属製で、これ以外の容器本体１やフタ２等のケース構成部品はすべてプラスチック製となっている。
【００２９】
次に、上記のように構成された本実施形態のラップフィルム収納ケースの使用方法について図１ないし図４を用いて説明する。
【００３０】
本実施形態のラップフィルム収納ケースによると、図１および図４に示したように、容器本体１側の係合孔１０から固定バンド８側の係合突起９を抜き取り、固定バンド８をフリーの状態とすれば、フタ２を開けることができ、この状態において、容器本体１内に収納されているラップフィルムロールＦＲからラップフィルムＦを引き出すことが可能となる。
【００３１】
ラップフィルムＦを使用する際は、ラップフィルムロールＦＲからラップフィルムＦを容器本体１の正面側へ必要量だけ引き出した後、この引き出したラップフィルムＦをカッター３でカットすればよい。
【００３２】
ところで、カッター３の使用によりそのカット性能が低下した場合、このカッター３は新品のものと交換することができる。
【００３３】
ここで、上記カッター３の交換作業について説明すると、本実施形態のラップフィルム収納ケースにおいては、図２に示したように、台座プレート４の一端４ａ側を摘んで持ち上げることにより、フタ２の取付孔７、７…から台座プレート４の突起６、６…を容易に抜くことができ、このようにして台座プレート４のすべての突起６、６…がフタ２の取付孔７、７…から完全に抜き取られると、図３に示したように、カッター付プレート、すなわち台座プレート４とカッター３の一体品がフタ２から取り外された状態となる。
【００３４】
そして、この取り外したカッター付プレートと同じ構造のカッター付プレートを予備品として備えている場合には、その予備のカッター付プレートをフタ２側に取り付けることにより、フタ２側に新品のカッターを装着することができる。この装着作業は、上記抜き取り作業の逆、すなわち、その予備のカッター付プレートにおいて、カッター３の貫通孔５から突出している台座プレート４の突起６、６…をすべてフタ２の取付孔７、７…に嵌め込み圧入すればよい。
【００３５】
また、上記のようにフタ２から取り外したカッター付プレートのカッター３において、その使用によりカット性能が低下している部分は一方の刃部３ｂだけであり、他方の刃部３ｃは未使用の新品状態で残っているので、これを利用する方法もある。
【００３６】
ここで、他方の刃部３ｃを利用する方法について説明すると、この場合は、まず、上記のように取り外したカッター付プレートを台座プレート４とカッター３に分離する。この分離作業については、カッター３の貫通孔５、５…から台座プレート４のすべての突起６、６…を抜き取ればよい。その後、この分離したカッター３を裏返しにして再び台座プレート４に装着するが、この装着作業については、上記分離作業の逆、すなわち、台座プレート４のすべての突起６、６…をカッター３の貫通孔５、５…に嵌め込み圧入すればよい。
【００３７】
上記のような分離・装着作業を行うことにより、カット性能の低下した古い刃部３ｂは台座プレート４の内側に引っ込みカット不可の状態となり、台座プレート４の一側縁からは古い刃部３ｂに代えて新品の刃部３ｃが突出して利用可能となる。なお、上記のような分離・装着作業により刃部交換の完了したカッター付プレートは、その後、フタ２側に取り付けられるが、この取付け作業は、上述の予備のカッター付プレートをフタ２側に取り付ける作業と同様である。
【００３８】
以上説明したように、本実施形態のラップフィルム収納ケースにあっては、貫通孔５を有するカッター３の一面側に突起６付の台座プレート４を配置し、その突起６の先端部６ａをカッター３の貫通孔５から突出させる構造と、このような突起６の突出端（先端部６ａ）をフタ２側の取付孔７に嵌め込み圧入することにより、ワンタッチで、カッター３と台座プレート４の一体品がフタ２側に着脱自在に取り付けられる構造を採用したものである。このため、カッター３のカット性能が低下した場合でも、カッター３の交換を容易に行うことができ、いつでも切れ味のよいカッター３でラップフィルムＦをカットできるようになる等、使い勝手がよい。
【００３９】
本実施形態のラップフィルム収納ケースによると、カッター３以外の容器本体１やフタ２等のケース構成部品はすべてプラスチック製であり、このようなプラスチック部分をリサイクルするものとした場合、プラスチックでない金属製のカッター３が問題となるが、このカッター３はフタ２からワンタッチで容易に取り外すことができるから、カッター３の取り外し作業にコストは殆どかからず、リサイクルコストを低く抑えることができ、リサイクル性にも優れる。
【００４０】
本実施形態のラップフィルム収納ケースは、カッター３以外の容器本体１やフタ２等のケース構成部品はすべてプラスチック製であるため、水に強く、水をよく使う厨房や家庭の台所での使用に好適である。
【００４１】
【発明の効果】
本発明によると、上記の如く、貫通孔を有するカッターの一面側に突起付の台座プレートを配置し、その突起の先端部をカッターの貫通孔から突出させる構造と、この突起の突出端をフタ側の取付孔に嵌め込み圧入することにより、ワンタッチで、カッターと台座プレートの一体品がフタ側に着脱自在に取り付けられる構造を採用したものであるから、カッターのカット性能が低下した場合でも、そのカッターの交換を容易に行うことができ、いつでも切れ味のよいカッターでラップフィルムをカットできる等、使い勝手のよいラップフィルム収納ケースを提供することができる。
【００４２】
また、本発明によると、カッターはフタからワンタッチで容易に取り外すことができるから、カッター以外の容器本体やフタ等のケース構成部品をすべてプラスチック製とし、そのプラスチック部分をリサイクルするものとした場合において、プラスチックでない金属製のカッターを取り外す作業についてのコストは殆どかからず、リサイクルコストを低く抑えることができる点で、リサイクル性にも優れる。
【図面の簡単な説明】
【図１】本発明の一実施形態を示したラップフィルム収納ケースの断面図。
【図２】図１のＡ矢視図。
【図３】図１に示したラップフィルム収納ケースに適用されているカッターと台座プレートの説明図であって、同図（ａ）はそのカッターと台座プレートが一体化された状態にあるときの平面図、同図（ｂ）は（ａ）のＢ−Ｂ線断面図である。
【図４】図１に示したラップフィルム収納ケースのフタを開けた状態の側面図。
【図５】図１に示したラップフィルム収納ケースのフタを閉じた状態の側面図。
【符号の説明】
１  容器本体
１ａ  容器本体の上面開口部
１−１  容器本体の側板部
２  フタ
２ａ  フタの正面側の縁部
３  カッター
３ａ  カッターの基部
３ｂ  カッターの一方の刃部
３ｃ  カッターの他方の刃部
４  台座プレート
５  貫通孔
６  突起
６ａ  突起の先端部
７  取付孔
８  固定バンド
８ａ  固定バンドの付け根部
９  係合凸部
１０  係合孔
１１、１２  ボス部
Ｆ  ラップフィルム
ＦＲ  ラップフィルムロール
ＦＲ−１、ＦＲ−２  ラップフィルムロールの端面
ＦＲ−３  ラップフィルムロール中心の中空部
Ｌ１  両ボス部の間隔
Ｌ２  ラップフィルムロールの長手方向長さ
【図１】
0004863420.tif 000002
【図２】
0004863420.tif 000003
【図３】
0004863420.tif 000004
【図４】
0004863420.tif 000005
【図５】
0004863420.tif 000006